(57)【要約】【課題】窓枠の下辺隅角部のような防水テープなどでは覆いきれない三次元の交点に生ずる隙間（ピンホール）を、伸ばして貼ることにより確実に防水できるようにした建築用三次元防水帯を提供する。【解決手段】本発明は、防水性を有する素材からなる、伸び率の大きい粘着帯であって、該粘着帯の片面又は両面を剥離材で覆ってなることを特徴とし、片面の剥離材、或いは両面の剥離材を剥がして粘着帯を露出させて四方に自由に伸ばしつつ三次元の凹凸面に自由に貼ることができ、したがって、窓枠の下辺隅角部のような水切シートなどでは到底覆いきれない三次元の交点に生ずる隙間（ピンホール）をも確実に覆い隠して防水することができるように構成した。【選択図】図１
2007291152.tif 000002
【特許請求の範囲】
【請求項１】
防水性を有する素材からなる、伸び率の大きい粘着帯であって、該粘着帯の片面又は両面を剥離材で覆ってなることを特徴とする建築用三次元防水帯。
【請求項２】
防水性を有する素材からなる、伸び率の大きい粘着帯であって、該粘着帯の片面に伸び率を阻害させないような粘着力阻止手段を施し、他面を剥離材で覆ってなることを特徴とする建築用三次元防水帯。
【請求項３】
前記粘着力阻止手段が、薄手のフィルムを貼るか、粒状物又は粉状物を散着したことを特徴とする請求項２に記載の建築用三次元防水帯。
【請求項４】
前記剥離材が、一部重畳した半割片であることを特徴とする請求項２又は３に記載の建築用三次元防水帯。
【発明の詳細な説明】
【技術分野】
【０００１】
本発明は、アルミサッシを嵌める窓枠の下辺隅角部のような防水テープなどでは覆いきれない隙間（ピンホール）を確実に防水できるようにした建築用三次元防水帯に関するものである。
【背景技術】
【０００２】
一般に、アルミサッシを嵌め込む窓枠、特に、図５の如く、窓枠５１の下辺隅角部５２には、下横枠５３の上面と正面と縦枠５６の正面の３面に水切シート（横縞模様）５４を貼って防水処理していた。この場合には外からの雨水については充分な防水性が発揮できていたが、窓枠５１とアルミサッシとの間に生ずる結露や、アルミサッシのコーナー部分（継ぎ合わせ部）からの漏水には充分な防水性が発揮できなかった。即ち、下横枠５３の上面を覆った水切シート５４の端縁ａと、縦枠５６の正面を覆った水切シート５４の内縁ｂとの交点Ｐには隙間（ピンホール）ができてしまうためであった。
【発明の開示】
【発明が解決しようとする課題】
【０００３】
上記交点Ｐにできる隙間（ピンホール）は、窓枠５１の下辺隅角部５２の谷と山とが重なる三次元の形態になっているため、この部分を水切シートで覆うために、該水切シートを短冊状にカットし、谷に合わせてアングル状に折曲しても、二点鎖線の如く、山部（交点Ｐ）では二股に分割しなければ貼ることができず、結局、交点Ｐは隙間（ピンホール）として残り、これを完璧に水切シートで覆うことはできなかった。
【０００４】
この発明は上記の点に鑑み案出したもので、その目的とするところは、窓枠の下辺隅角部のような水切シートなどでは覆いきれない三次元の交点を、伸ばして貼ることにより完璧に覆うことができ、該交点にできる隙間（ピンホール）からの漏水を確実に防水できるようにした建築用三次元防水帯を提供することにある。
【課題を解決するための手段】
【０００５】
上記目的を達成するため、本発明は、防水性を有する素材からなる、伸び率の大きい粘着帯であって、該粘着帯の片面又は両面を剥離材で覆ってなることを特徴とし、片面の剥離材、或いは両面の剥離材を剥がして粘着帯を露出させると四方に自由に伸ばしつつ貼ることができるように構成した。
【０００６】
また、請求項２に記載の発明は、防水性を有する素材からなる、伸び率の大きい粘着帯であって、該粘着帯の片面に伸び率を阻害させないような粘着力阻止手段を施し、他面を剥離材で覆ってなることを特徴とし、片面の粘着力を阻止して作業性をよくするように構成した。
【０００７】
さらに、請求項３に記載の発明は、前記粘着力阻止手段が、薄手のフィルムを貼ったものであることを特徴とし、伸び率を阻害させないで粘着帯の粘着力を有効に阻止できるように構成した。
【０００８】
さらにまた、請求項４に記載の発明は、前記剥離材が、一部重畳した半割片であることを特徴とし、剥離材を少しづつ剥がして貼れるように構成した。
【発明の効果】
【０００９】
本発明の建築用三次元防水帯によれば、防水性を有する素材からなる、伸び率の大きい粘着帯であって、該粘着帯の片面又は両面を剥離材で覆ってなることを特徴としているので、片面の剥離材、或いは両面の剥離材を剥がして粘着帯を露出させて四方に自由に伸ばしつつ三次元の凹凸面に自由に貼ることができる。したがって、窓枠の下辺隅角部のような水切シートなどでは到底覆いきれない三次元の交点に生ずる隙間（ピンホール）をも確実に覆い隠して防水することができるという優れた効果を奏するものである。
【００１０】
また、請求項２の建築用三次元防水帯によれば、防水性を有する素材からなる、伸び率の大きい粘着帯であって、該粘着帯の片面に伸び率を阻害させないような粘着力阻止手段を施し、他面を剥離材で覆ってなることを特徴としているので、剥離材を剥がして手指で掴んで伸ばしつつ貼るときに、片面の粘着力が阻止されているので、より作業性がよくなる。したがって、窓枠の下辺隅角部のような水切シートなどでは到底覆いきれない三次元の交点に生ずる隙間（ピンホール）をも確実に覆い隠して防水することができるという優れた効果を奏するものである。
【００１１】
さらに、請求項３の建築用三次元防水帯によれば、前記粘着力阻止手段が、薄手のフィルムを貼ったものであることを特徴としているので、伸び率を阻害させないで粘着帯の片面の粘着力を有効に阻止できるという優れた効果を奏するものである。
【００１２】
さらにまた、請求項４に記載の発明は、前記剥離材が、一部重畳した半割片であることを特徴としているので、剥離材を少しづつ剥がして手指をべたつかないで使用できるという優れた効果を奏するものである。
【発明を実施するための最良の形態】
【００１３】
次に、本発明の実施の態様を添付図面に基づいて説明する。図１は本願防水帯の一例を略示的に示す断面図、図２は本願防水帯の製品形態で（ａ）は巻物、（ｂ）はカット品、図３は本願防水帯を用いた施工の手順を（ａ）〜（ｆ）に示す斜視図、図４は完成状態を示す斜視図である。
【００１４】
図１において、１は本願防水帯、２は粘着帯である。粘着帯２は防水性を有する素材からなり、伸び率の大きいもの（３００％以上が好ましい）である。たとえば、天然ゴム、ＳＢＲ、ＮＢＲ、ＢＲ、ＩＲ、ＣＲ、ＩＩＲ、ＥＰＲ、ＥＰＤＭ、ＰＩＢ、ＳＢＳ、ＳＩＳ、ＳＥＢＳ、塩素化ポリエチレン、ＥＶＡ等、又は再生ゴムが使用できる。これらにはアスファルトを添加しても、添加しなくてもよい。
【００１５】
前記粘着帯２の両面３、３′は粘着力の大きい粘着面になっているが、片面３は粘着帯２の伸び率を阻害させないような粘着阻止手段４が施され、その粘着力が永久的に阻止されている一方、他の片面３′は剥離材５で覆われ、剥離材５を剥がすことにより粘着面の粘着力が回復するようになる。この粘着帯２は、剥離材５を介して重ねる（或いは巻く）ことにより剥離材により両面３、３′の粘着面を覆うようにしてもよい。この場合は、粘着帯２の片面３に粘着阻止手段４が施されないものとなる。
【００１６】
前記粘着阻止手段４としては、前記粘着帯２の大きい伸び率を阻害させない程度に薄手（１０〜２０ミクロン厚）のポリオレフィン系フィルムを粘着面に貼ることも、また、粒状物又は粉状物など（たとえば、粒度の細かい砂や粉や灰）を粘着帯２の粘着面に散着させることも、塗料やエマルジョンやワックスなどを粘着帯２の粘着面に塗布することもある。尤も、その種々の手段のうち、薄手のフィルムを貼るという手段は作業性の点では優れている。
【００１７】
前記剥離材５は紙シートやプラスチックシートの片面又は両面に剥離剤を塗布するか、含浸させたものでよい。この剥離材５は、図１の如く、半割片５ａ、５ｂの一部を重畳５ｃさせておくとよい。すなわち、一方を剥がして粘着面の一部を露出させ、露出面（粘着面）を被着面に貼付けた後に、他方を剥がして全体を貼るような扱い方ができ、剥離材を少しづつ剥がして貼れるようにしている。
【００１８】
前記本願防水帯１は、図２（ａ）、（ｂ）の如く、巻物１′でも、カット品１″でもよい。巻物１′は、厚さＡが１．５ｍｍ、幅Ｂが１０ｃｍ、長さＣが１０ｍをロール状に巻いてなる。また、前記カット品１″は、厚さＡが１．５ｍｍ、幅１０ｃｍ×長さが２０ｃｍぐらいが取扱性（作業性）がよい。また、図示していないが、巻物１′は片面に、剥離剤が両面に塗布されている剥離材を用い、該剥離材の背面に粘着帯の粘着面が重なるように巻くか、カット品１″であれば、粘着帯２／剥離材５／粘着帯２／剥離材５…の如く積層状にしてもよい。この場合には、剥離材を剥がせば、いずれの面も粘着面として使用できる利点がある。
【００１９】
前記粘着帯２は、図１の一点鎖線で示す如く、中間に伸び率の高い（粘着帯２の伸び率に匹敵する）繊維からなる薄手の不織布や同繊維で織成した薄手の網状布などの芯材６を介装し、粘着帯２の大きな伸び率を阻害しないで機械的強度を高めることもある。この介装する芯材６の枚数は図示の如く１枚には限らないことは勿論である。
【００２０】
次に、前記本願防水帯（粘着帯２の片面３に粘着阻止手段４を施し、他の片面３′を剥離材５で覆ったもの）１を用い、図３（ａ）の如く、アルミサッシ（図示せず）を嵌め込むための窓枠１０の下横枠１０ａの上面イ、正面ロ及び縦枠１０ｂの内面ハの三次元防水施工について説明する。まず、図３（ｂ）の如く、下横枠１０ａの上面イを水切シート１１で覆うとともに、鉤状にカットした水切シート１１′で下横枠１０ａの正面ロ及び縦枠１０ｂの正面ニを覆う。
【００２１】
次に、１０ｃｍ×２０ｃｍのカットされた本願防水帯１を、図３（ｃ）の如く、二つ折りし、剥離材５の一部を剥がして粘着面を露出させ、その折部１ａを下横枠１０ａの上面（水切シート１１を貼った面）イと縦枠１０ｂの内面ハとの夾角部（谷）１０ｃに当て、本願防水帯１の下横枠１０ａの上面イ側を水切シート１１上に押し付けて貼る。
【００２２】
次いで、２つ折りされている本願防水帯１を、図３（ｄ）の如く、開いて縦枠１０ｂの内面ハ上に強く押し付けて貼り、しかる後、鏝又はヘラ（段ボールを２つ折りしたものを利用してもよい）１２を使って本願防水帯１の折部１ａを前記夾角部（谷）１０ｃに押し付け、よく馴染ませる。
【００２３】
次に、本願防水帯１の折部１ａが前記夾角部（谷）１０ｃに馴染んだ後、図３（ｅ）の如く、手前側に残っている剥離材５を剥がして粘着面を総て露出させる。しかる後、図３（ｆ）の如く、本願防水帯１の手前側の端部（屈曲部付近）を手指で伸ばしながら下横枠１０ａの正面ロ及び縦枠１０ｂの正面ニに貼るようにすると、三次元の交点Ｐ（山）をも確実に覆うことができる。
【００２４】
しかして、図４の如く、本願防水帯１により、窓枠１０の下横枠１０ａの三次元防水施工が完成する。したがって、上記下横枠１０ａの上面イ、正面ロ及び縦枠１０ｂの内面ハの交点Ｐにできるピンホールは本願防水帯１により確実に覆われることとなり、爾後はアルミサッシを嵌め、通常の防水加工を経て窓を完成させる。
【産業上の利用可能性】
【００２５】
本願防水帯１は、上述の如く、アルミサッシを嵌める窓枠の下辺隅角部のような水切シートなどでは覆いきれない隙間（ピンホール）を確実に防水できるものである。
【図面の簡単な説明】
【００２６】
【図１】本願防水帯の略示的断面図である。
【図２】本願防水帯の製品形態で（ａ）は巻物、（ｂ）はカット品である。
【図３】本願防水帯を用いた施工の手順を（ａ）〜（ｆ）に示す斜視図である。
【図４】完成状態を示す斜視図である。
【図５】従来の窓枠下辺の防水施工を示す斜視図である。
【符号の説明】
【００２７】
１  本願防水帯
２  粘着帯
３、３′  粘着帯の両面
４  粘着阻止手段
５  剥離材
６  芯材
１０  窓枠
１０ａ  下横枠
１０ｂ  縦枠
１０ｃ  夾角部
１１  水切シート
１２  鏝又はヘラ
イ  下横枠の上面
ロ  下横枠の正面
ハ  縦枠の内面
ニ  縦枠の正面
【図１】
2007291152.tif 000003
【図２】
2007291152.tif 000004
【図３】
2007291152.tif 000005
【図４】
2007291152.tif 000006
【図５】
2007291152.tif 000007